【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
番組にコマーシャル及び該コマーシャルに対応する広告データを付加したコマーシャル付き番組を送信する送信ステップと、
前記コマーシャル付き番組の視聴に際して前記コマーシャルを視聴するか否かを視聴者に選択させるステップと、
視聴者により前記コマーシャルを視聴しないことが選択された場合に、該コマーシャルを視聴用表示器に表示せず、かつ該コマーシャルに対応する広告データを記録媒体に記録するステップとを有することを特徴とする番組送受信方法。
【請求項２】
前記記録媒体に記録するステップが、印刷装置により記録紙に印刷するステップであることを特徴とする請求項１に記載の番組送受信方法。
【請求項３】
前記コマーシャルを視聴しないことが選択された場合に、所定時間経過しても前記広告データの前記記録媒体への記録が完了しないときは、前記コマーシャルを前記視聴者に強制的に視聴させることを特徴とする請求項１に記載の番組送受信方法。
【請求項４】
コマーシャルを含まない番組を送信するステップと、
コマーシャル及び該コマーシャルに対応する広告データを送信するステップと、
前記広告データが印刷装置により印刷された場合に、視聴者が前記コマーシャルを視聴しないことを選択したものと判断し、前記番組を表示する視聴用表示器に対し前記コマーシャルを含まない番組を表示するステップとを有することを特徴とする番組送受信方法。
【請求項５】
前記広告データが印刷装置により印刷されない場合に、前記コマーシャルを含まない番組に前記コマーシャルを加えて前記視聴用表示器に表示するステップをさらに有することを特徴とする請求項４に記載の番組送受信方法。
【請求項６】
コマーシャルを含む番組を送信するステップと、
前記番組中のコマーシャル部分に対応する番組補間データ及び前記コマーシャルに対応する広告データを送信するステップと、
前記広告データが印刷装置により印刷された場合に、視聴者が前記コマーシャルを視聴しないことを選択したものと判断し、前記番組中のコマーシャル部分を削除するとともに該部分に前記番組補間データを加えることにより、前記番組を表示する視聴用表示器に対し前記コマーシャルを非表示とするステップとを有することを特徴とする番組送受信方法。
【請求項７】
前記広告データが印刷装置により印刷されない場合に、前記コマーシャルを含む番組に前記番組補間データを加えることなく当該番組を前記視聴用表示器に表示するステップをさらに有することを特徴とする請求項６に記載の番組送受信方法。
【請求項８】
コマーシャルを含む番組を送信するステップと、
前記コマーシャルに対応する広告データを送信するステップと、
前記広告データが印刷装置により印刷された場合に、視聴者が前記コマーシャルを視聴しないことを選択したものと判断し、前記番組中のコマーシャル部分を削除することにより前記コマーシャルが除去された前記番組を視聴用表示器に表示するステップとを有することを特徴とする番組送受信方法。
【請求項９】
前記広告データが印刷装置により印刷されない場合に、前記コマーシャルを含む番組から前記コマーシャルを削除せず当該番組を前記視聴用表示器に表示するステップをさらに有することを特徴とする請求項８に記載の番組送受信方法。
【請求項１０】
コマーシャルを含まない番組を送信するステップと、
コマーシャル及び該コマーシャルに対応する広告データを送信するステップと、
前記広告データが印刷装置により印刷された場合に、視聴者が前記コマーシャルを視聴しないことを選択したものと判断し、前記コマーシャルを含まない番組を視聴用表示器に表示するステップと、
前記広告データが印刷装置により印刷されない場合に、前記コマーシャルを含まない番組中に前記コマーシャルを挿入して表示し、かつ、該コマーシャルの表示終了後に前記コマーシャル挿入時以降の番組を再び表示するステップを有することを特徴とする番組送受信方法。
【請求項１１】
前記コマーシャルの表示終了後に、前記コマーシャル挿入時点以前からの番組を再び表示するステップをさらに有することを特徴とする請求項１０に記載の番組送受信方法。
【請求項１２】
前記番組の表示開始前に該番組を録画部に録画するステップと、
前記番組表示終了後に自動的に録画部から消去するステップとを有することを特徴とする請求項８から請求項１１のうちいずれか１項に記載の番組送受信方法。
【請求項１３】
番組、コマーシャル、及び該コマーシャルに対応する広告データを受信する受信手段と、
前記番組の視聴に際して前記コマーシャルを視聴するか否かを視聴者に選択させる選択制御手段と、
視聴者により前記コマーシャルを視聴しないことが選択された場合に、該コマーシャルに対応する広告データを印刷装置に印刷させる印刷制御手段とを有することを特徴とする番組受信装置。
【請求項１４】
番組を送信する番組送信手段と、
コマーシャルを送信するコマーシャル送信手段と、
視聴者が前記コマーシャルを視聴しないことを選択した場合に印刷装置によって印刷するための前記コマーシャルに対応する広告データを送信する広告データ送信手段とを有することを特徴とする番組送信装置。
【請求項１５】
番組送信装置と番組受信装置とを備えた番組送受信システムであって、
前記番組送信装置は、
番組を送信する番組送信手段と、
コマーシャルを送信するコマーシャル送信手段と、
前記コマーシャルに対応する広告データを送信する広告データ送信手段とを有し、
前記番組受信装置は、
それぞれ前記番組送信装置から送信された前記番組、前記コマーシャル及び前記広告データを受信する受信手段と、
前記番組の視聴に際して前記コマーシャルを視聴するか否かを視聴者に選択させる選択制御手段と、
前記視聴者により前記コマーシャルを視聴しないことが選択された場合に、前記広告データを印刷装置に印刷させる印刷制御手段とを有することを特徴とする番組送受信システム。
【手続補正２】
【補正対象書類名】明細書
【補正対象項目名】発明の名称
【補正方法】変更
【補正の内容】
【発明の名称】番組送受信方法、番組送信装置、番組受信装置、及び、番組送受信システム
【手続補正３】
【補正対象書類名】明細書
【補正対象項目名】０００１
【補正方法】変更
【補正の内容】
【０００１】
本発明は、番組送受信方法、番組送信装置、番組受信装置、及び、番組送受信システムに係り、特に番組とコマーシャル（ＣＭ）とを送受信して視聴者に視聴させる番組送受信方法に関する。
【手続補正４】
【補正対象書類名】明細書
【補正対象項目名】０００８
【補正方法】変更
【補正の内容】
【０００８】
本発明の例示的側面としての番組送受信方法は、番組にコマーシャル及び該コマーシャルに対応する広告データを付加したコマーシャル付き番組を送信する送信ステップと、前記コマーシャル付き番組の視聴に際して前記コマーシャルを視聴するか否かを視聴者に選択させるステップと、視聴者により前記コマーシャルを視聴しないことが選択された場合に、該コマーシャルを視聴用表示器に表示せず、かつ該コマーシャルに対応する広告データを記録媒体に記録するステップとを有することを特徴とする。記録媒体に記録するステップが、印刷装置により記録紙に印刷するステップであってもよい。また、コマーシャルを視聴しないことが選択され、かつ、所定時間経過しても広告データの記録媒体への記録が完了しない場合に、コマーシャルを視聴者に視聴させるように構成してもよい。
【手続補正５】
【補正対象書類名】明細書
【補正対象項目名】０００９
【補正方法】変更
【補正の内容】
【０００９】
本発明の他の側面としての番組送受信方法は、コマーシャルを含まない番組を送信するステップと、コマーシャル及び該コマーシャルに対応する広告データを送信するステップと、前記広告データが印刷装置により印刷された場合に、視聴者が前記コマーシャルを視聴しないことを選択したものと判断し、前記番組を表示する視聴用表示器に対し前記コマーシャルを含まない番組を表示するステップとを有することを特徴とする。コマーシャルを視聴することを視聴者が選択したものと判断した場合に、コマーシャルを含まない番組にコマーシャルを加えて視聴用表示器に表示するステップをさらに有してもよい。
【手続補正６】
【補正対象書類名】明細書
【補正対象項目名】００１０
【補正方法】変更
【補正の内容】
【００１０】
本発明の他の側面として番組送受信方法は、コマーシャルを含む番組を送信するステップと、前記番組中のコマーシャル部分に対応する番組補間データ及び前記コマーシャルに対応する広告データを送信するステップと、前記広告データが印刷装置により印刷された場合に、視聴者が前記コマーシャルを視聴しないことを選択したものと判断し、前記番組中のコマーシャル部分を削除するとともに該部分に前記番組補間データを加えることにより、前記番組を表示する視聴用表示器に対し前記コマーシャルを非表示とするステップとを有することを特徴とする。コマーシャルを視聴することを視聴者が選択したものと判断した場合に、コマーシャルを含む番組に番組補間データを加えることなく番組を視聴用表示器に表示するステップをさらに有してもよい。
【手続補正７】
【補正対象書類名】明細書
【補正対象項目名】００１１
【補正方法】変更
【補正の内容】
【００１１】
本発明の他の側面としての番組送受信方法は、コマーシャルを含む番組を送信するステップと、前記コマーシャルに対応する広告データを送信するステップと、前記広告データが印刷装置により印刷された場合に、視聴者が前記コマーシャルを視聴しないことを選択したものと判断し、前記番組中のコマーシャル部分を削除することにより前記コマーシャルが除去された前記番組を視聴用表示器に表示するステップとを有することを特徴とする。ここで「コマーシャルを削除」とは、コマーシャル部分を早送りとして視聴者に視聴させないことを含む概念である。コマーシャルを視聴することを視聴者が選択したものと判断した場合に、コマーシャルを含む番組からコマーシャルを削除せず番組を視聴用表示器に表示するステップをさらに有してもよい。
【手続補正８】
【補正対象書類名】明細書
【補正対象項目名】００１２
【補正方法】変更
【補正の内容】
【００１２】
本発明の他の側面としての番組送受信方法は、コマーシャルを含まない番組を送信するステップと、コマーシャル及び該コマーシャルに対応する広告データを送信するステップと、前記広告データが印刷装置により印刷された場合に、視聴者が前記コマーシャルを視聴しないことを選択したものと判断し、前記コマーシャルを含まない番組を視聴用表示器に表示するステップと、前記広告データが印刷装置により印刷されない場合に、前記コマーシャルを含まない番組中に前記コマーシャルを挿入して表示し、かつ、該コマーシャルの表示終了後に前記コマーシャル挿入時以降の番組を再び表示するステップを有することを特徴とする。また、コマーシャルの表示終了後にコマーシャル挿入時点以前からの番組を再び表示するステップをさらに有してもよい。さらに、少なくとも番組の表示開始以前から番組を録画部に録画するステップと、番組表示終了後に自動的に録画部から消去するステップとを有してもよい。
【手続補正９】
【補正対象書類名】明細書
【補正対象項目名】００１３
【補正方法】変更
【補正の内容】
【００１３】
本発明の他の側面としての番組受信装置は、番組、コマーシャル、及び該コマーシャルに対応する広告データを受信する受信手段と、前記番組の視聴に際して前記コマーシャルを視聴するか否かを視聴者に選択させる選択制御手段と、視聴者により前記コマーシャルを視聴しないことが選択された場合に、該コマーシャルに対応する広告データを印刷装置に印刷させる印刷制御手段とを有することを特徴とする。
【手続補正１０】
【補正対象書類名】明細書
【補正対象項目名】００１４
【補正方法】変更
【補正の内容】
【００１４】
本発明の他の側面としての番組送信装置は、番組を送信する番組送信手段と、コマーシャルを送信するコマーシャル送信手段と、視聴者が前記コマーシャルを視聴しないことを選択した場合に印刷装置によって印刷するための前記コマーシャルに対応する広告データを送信する広告データ送信手段とを有することを特徴とする。
【手続補正１１】
【補正対象書類名】明細書
【補正対象項目名】００１５
【補正方法】変更
【補正の内容】
【００１５】
本発明の他の側面としての番組送受信システムは、番組送信装置と番組受信装置とを備えた番組送受信システムであって、前記番組送信装置は、番組を送信する番組送信手段と、コマーシャルを送信するコマーシャル送信手段と、前記コマーシャルに対応する広告データを送信する広告データ送信手段とを有し、前記番組受信装置は、それぞれ前記番組送信装置から送信された前記番組、前記コマーシャル及び前記広告データを受信する受信手段と、前記番組の視聴に際して前記コマーシャルを視聴するか否かを視聴者に選択させる選択制御手段と、前記視聴者により前記コマーシャルを視聴しないことが選択された場合に、前記広告データを印刷装置に印刷させる印刷制御手段とを有することを特徴とする。番組送受信システムにおいて、生放送による番組において使用される番組送受信方法と、収録放送による番組において使用される番組送受信方法とを異なる番組送受信方法としてもよい。また、使用された番組送受信方法を識別する番組送受信方法識別手段をさらに有するように構成してもよい。広告データが印刷装置により印刷されたことを番組を送信する番組送信装置に報知する報知手段をさらに有するように構成してもよい。
【手続補正１２】
【補正対象書類名】明細書
【補正対象項目名】００２４
【補正方法】変更
【補正の内容】
【００２４】
１１１は撮影装置であって、番組を撮影するためのものである。撮影された番組は、編集制御装置１１６で編集され、放送されたり番組記録装置１１２に記録される。１１２は番組記録装置であって、撮影装置１１１で撮影された番組や通信装置１１５経由で受信した番組を編集制御装置１１６に対し記録／再生する機能を有する。また、他の記録装置で記録された番組の再生も行う。
【手続補正１３】
【補正対象書類名】明細書
【補正対象項目名】００２５
【補正方法】変更
【補正の内容】
【００２５】
１１３はＣＭ記録装置であって、別途撮影され編集されたＣＭ番組が記録されている。そのＣＭ番組は、編集制御装置１１６により再生され、番組とともに適宜再生されたり放送されるようになっている。
１１４はデータ記録装置であり、別途作成されたデータ放送用データが記録されている。そのデータ放送用データは、編集制御装置１１６により、番組に連動又は非連動にて適宜再生され、変換送信装置１１８より放送されるようになっている。１１５は通信装置であり、他の場所で撮影した番組の伝送等に使用されるものである。また、インターネットへ向けて、番組、ＣＭ、データ放送用データのアップロード等を行う機能も有する。
【手続補正１４】
【補正対象書類名】明細書
【補正対象項目名】００３０
【補正方法】変更
【補正の内容】
【００３０】
１２１１は音声制御部であって、デコーダ部１２０４、及び、内部バスｓ１２９からの音声データを切替え、合成し、又は音量、音質、臨場感などを制御し、音声出力部１２１２へ出力するものである。１２１２は音声出力部であって、音声制御部１２１１から入力された音声信号を増幅し、スピーカより音声を出力するものである。
【手続補正１５】
【補正対象書類名】明細書
【補正対象項目名】００４１
【補正方法】変更
【補正の内容】
【００４１】
１４２はインタフェース部であって、ＴＶ装置１２からの印刷用データの受信、プリンタの制御等を行うためのものである。１４９はプリンタ制御部であり、ＴＶ装置１２からの指示に基づいて受信した印刷データを印刷し、正常に終了したか等の情報をＴＶ装置１２に送信する機能を有する。
【手続補正１６】
【補正対象書類名】明細書
【補正対象項目名】００４５
【補正方法】変更
【補正の内容】
【００４５】
これらの（ｘ）番組及び付加番組部分、（ｙ）番組情報部分、（ｚ）データ部分は適宜合成されるが、（ｘ）番組及び付加番組部分に対し、（ｙ）番組情報部分と（ｚ）データ部分とが繰り返して合成されるいわゆるデータカルーセル方式で合成され、これがパケット化され放送用ＴＳデータとなる。ここで、（ｙ）番組情報部分、（ｚ）データ部分のＣＭ再生スクリプトは、番組のＣＭ放送提示時刻直前に同期して伝送され、ＣＭ放送直前に放送されている番組がＣＭ放送スキップ視聴対応番組であることが識別できるようになっている。
【手続補正１７】
【補正対象書類名】明細書
【補正対象項目名】００６５
【補正方法】変更
【補正の内容】
【００６５】
視聴者があるチャンネルをすでに視聴しており、そのチャンネルにおいて視聴しようとするＣＭ放送スキップ視聴対応番組が開始されたとする（ｓｔ２５０４）。番組が開始されると、ＴＶ装置１２で受信された放送電波から番組／音声部が分離され、前述したように、デコーダ部１２０４経由で表示、音声出力され、その導入部の提示が開始される。これと共に、番組情報、再生スクリプト、放送用ＣＭデータ、印刷用ＣＭデータ等のデータ放送データがデータ分離部１２０３で分離され、データ保存部１２４０へ保存される（ｓｔ２５０５）。
【手続補正１８】
【補正対象書類名】明細書
【補正対象項目名】００６６
【補正方法】変更
【補正の内容】
【００６６】
同時に、ＴＶ装置１２のシステム制御部１２９０は、受信され、データ保存部１２４０に保存された番組情報の中から視聴しているチャンネルの開始番組を調査し、そのＥＩＴ情報のＣＭ代替印刷記述子を調査し、ＣＭ放送スキップ視聴対応放送であることを検出する（ｓｔ２５０６）。なお、この番組情報は、番組の開始に先立って他の番組、放送受信時に受信し、データ保存部１２４０へ保存しておくことも可能である。
【手続補正１９】
【補正対象書類名】明細書
【補正対象項目名】００９７
【補正方法】変更
【補正の内容】
【００９７】
１１…放送装置
１２…ＴＶ装置
１３…リモコン装置
１４…プリンタ装置（印刷装置）
１５…記録装置
９１…印刷正常終了コード
１１１…撮影装置
１１２…番組記録装置
１１３…ＣＭ記録装置
１１４…データ記録装置
１１５…通信装置
１１６…編集制御装置（送信部、番組送信部、コマーシャル送信部、広告データ送信部）
１１８…変換送信装置
１４１…プリンタメカ部
１４２…インタフェース部
１４３…プリンタ制御部
１２０１…アンテナ部
１２０２…チューナ部（受信部）
１２０３…データ分離部
１２０４…デコーダ部
１２０５…一時蓄積部（録画部）
１２１１…音声制御部
１２１２…音声出力部
１２２１…画像制御部
１２２２…表示器
１２３０…インタフェース部
１２３２…デコーダ部
１２４０…データ保存部
１２５０…通信部
１２８０…リモコン制御部
１２９０…システム制御部（選択部）
１４０１…メカ部内のバーコードセンサー
ＡＤ１〜ＡＤ４…提示時間
ＣＭ１〜ＣＭ４…ＣＭデータ
ＬＣＭ１〜ＬＣＭ４…放送用ＣＭデータの提示時間
ＬＰ１〜ＬＰ５…提示時間
ｓ１１…ネットワーク
ｓ１２９…内部バス
ｔＣＭ１〜ｔＣＭ４…相対時刻
Δｔ１〜Δｔ４…重複提示時間
【手続補正２０】
【補正対象書類名】図面
【補正対象項目名】図２
【補正方法】変更
【補正の内容】
【図２】
2005176220.tif 000001